(57)【要約】廃棄物収集装置（１０、３１０、４１０、５１０、６１０、７１０、８１０、９１０）は、開口（１４、３１４、４２４、５１４、６１４、７１４、８１４）を画成するハウジング（１２、３１２、４１２、５１２、６１２、７１２、８１２、９１２）を含む本体を含む。ハウジング開口は、関連する袋（Ｌ、Ｌ’、Ｌ”）の開口端（４６、４６’、４６”、４４０）がその上に折り返されるのを可能にし、ハウジングは関連する袋の閉鎖端（４４、４４’、４４”、４３８）をその中に受ける。引き抜き機構（３０、８２、２６、９８；４２６、４４８、４５６、４３２、４６０、４６４；５２６、５４８、５５６、５３２、５８０、５８２；６２６、６４８；７２６；７２６’；９２５、９２６）が本体に接続され、関連する袋をハウジング内に選択的に引くために関連する袋に着脱自在に接続される。使用するために、袋の開口端は、収集するべき廃棄物材（Ｗ）に隣接して位置決めされる。次いで、引き抜き機構は袋をハウジング内に引き、廃棄物材は袋内に同時に移される。
2006523500.tif 000002
【特許請求の範囲】
【請求項１】
開口（１４、３１４、４２４、５１４、６１４、７１４、８１４）を画成するハウジング（１２、３１２、４１２、５１２、６１２、７１２、８１２、９１２）を含み、前記ハウジング開口は、関連する袋（Ｌ、Ｌ’、Ｌ”）の開口端（４６、４６’、４６”、４４０）がその上に折り返されるのを可能にし、前記ハウジングはその中に前記関連する袋の閉鎖端（４４、４４’、４４”、４３８）を受ける本体と、
前記本体に接続され、前記関連する袋を前記ハウジング内に選択的に引くために前記関連する袋に着脱自在に接続される引き抜き機構（３０、８２、２６、９８；４２６、４４８、４５６、４３２、４６０、４６４；５２６、５４８、５５６、５３２、５８０、５８２；６２６、６４８；７２６；７２６’；９２５、９２６）と、
を具備する廃棄物収集装置。
【請求項２】
前記引き抜き機構は、
前記本体に回転可能に接続され、前記関連する袋（Ｌ、Ｌ’）に着脱自在に接続されたスプール（４２６、５２６、６２６、７２６、７２６’、９２６）と、
前記関連する袋が前記スプールに巻かれそれによって前記関連する袋を前記ハウジング（４１２、５１２、６１２、７１２、８１２、９１２）内に引くように、前記スプールを選択的に回転するために前記スプールに接続された駆動機構（４４８、４５６、４３２、４６０、４６４；５４８、５５６、５３２、５８０、５８２；６４８）と、
を含む請求項１記載の廃棄物収集装置。
【請求項３】
前記駆動機構は、
前記スプール（４２６、５２６、６２６、７２６、７２６’、９２６）へ動力回転を提供するためのモータ（８２、４４８、５４８、６４８）と、
前記モータの出力を前記スプールに選択的に接続するための手段であって、そのため、前記モータが作動されるときに前記スプールが前記モータによって回転する手段と、
を含む請求項２記載の廃棄物収集装置。
【請求項４】
前記本体のハンドル（４２２、５２２、６２２、７２２、８２２、９２２）は、押し下げられたときに前記モータを作動するスイッチ（４５０、５５０、６５０、７５０、８５０）をその上に含む請求項３記載の廃棄物収集装置。
【請求項５】
前記モータ（４４８、５４８）の出力を前記スプール（４２６、５２６、６２６、７２６、７２６’）に選択的に接続するための前記手段は、
前記モータの作動時に前記モータによって駆動されるギア（４５６、５５６）と、
前記ギアに係合したスプールギア（４３２、５３２）であって、前記スプールギアは前記スプールと同時回転するように装着され、そのため前記ギアによる前記スプールギアの回転が前記スプールを第１の方向に回転させるスプールギアと、
前記スプールギアを前記ギアから係合解除して、前記スプールが第２の方向に手動回転するのを可能にするための手段（４６０、４６４；５８０、５８２）と、
を含む請求項３または４に記載の廃棄物収集装置。
【請求項６】
前記スプールギア（４３２）は、ばね（４６４）によって前記ギア（４５６）との係合に促され、前記スプールギアを前記ギアから係合解除するための前記手段は、十分な力を加えると、前記ばねが前記スプールギアを前記ギアとの係合から変位するように促すのに打ち克つノブ（４６０）を具備する請求項５記載の廃棄物収集装置。
【請求項７】
前記スプールギア（５３２）は、前記ハンドル（５２２）のノブ（５５０）に十分な力が加えられるときに、前記ギア（５５６）に係合するだけであり、前記スプールギアを前記ギアから係合解除するための前記手段は、前記ギアを前記スプールギアから離すように促すばね（５８２）を具備する請求項５または６に記載の廃棄物収集装置。
【請求項８】
前記スプール（４２６、５２６、６２６、７２６’）は、小直径部分（７３０ｂ’）に接続された大直径部分（７３０ａ’）を有する袋取付け用スロット（４３０、７３０’）を画成し、前記大直径部分は、前記関連袋（Ｌ、Ｌ’）の玉状端（４３８、５３８、６３８、７３８）を受けるように適切にサイズづけられ、前記小直径部分は、前記スプールが第１の方向に回転するときに前記玉状端を保持するように適切なサイズとされた請求項２乃至７のいずれか１項に記載の廃棄物収集装置。
【請求項９】
前記スプール（７２６、７２６’）は、前記関連する袋（Ｌ、Ｌ’）を前記スプールへ取り付けるために前記本体から取り除くことができる請求項２乃至８のいずれか１項に記載の廃棄物収集装置。
【請求項１０】
前記引き抜き機構は、
前記本体に配置され前記開口（１４）に対して摺動可能で且つ前記関連する袋（Ｌ、Ｌ’、Ｌ”）に着脱自在に接続されるキャリッジ（３０）と、
前記開口に隣接する第１の位置から前記開口から離れた方向に前記第１の位置から間隔をおいた第２の位置へ前記キャリッジを選択的に動かし、それによって前記関連する袋を前記開口内に引くために、前記キャリッジに接続された駆動機構（８２、２６、９８）と、
を含む請求項１記載の廃棄物収集装置。
【請求項１１】
前記駆動機構は、
前記キャリッジ（３０）の動力引き抜きを提供するためのモータ（８２）と、
前記モータからの回転力を前記キャリッジの直線運動へ転換するための伝達アセンブリ（２６、９８）と、
を含む請求項１０記載の廃棄物収集装置。
【請求項１２】
前記伝達アセンブリは、
前記キャリッジ（３０）へ一方の端で接続された接続要素（９８）と、
前記本体に回転可能に接続され、前記モータ（８２）によって回転可能であり、前記接続要素をそのまわりに巻いて、前記キャリッジを前記開口（１４）から離して引くためのスプール（２６）と、
を含む請求項１１記載の廃棄物収集装置。
【請求項１３】
前記モータの作動時に前記モータ（９８）によって回転される力転送ローラー（１１４）であって、前記スプールを回転するために前記スプール（２６）に摩擦係合する力転送ローラーと、
前記力転送ローラーを前記スプールから係合解除し、それによって前記スプールが自由に回転するのを可能にするための手段と、
をさらに含む請求項１０乃至１２のいずれか１項に記載の廃棄物収集装置。
【請求項１４】
前記力転送ローラー（１１４）は、前記ハンドル（２４）のノブ（１２０）に十分な力が加えられるときに、前記スプール（２６）に係合するだけであり、前記力転送ローラーを前記スプールから係合解除するための前記手段は、前記力転送ローラーを前記スプールから離すように促すばね（１１６）を具備する請求項１３記載の廃棄物収集装置。
【請求項１５】
前記キャリッジ（３０）は、前記関連袋（Ｌ、Ｌ’、Ｌ”）に着脱自在に接続する構造物（３４、３６、３８）を含み、前記構造物は、（ｉ）前記関連する袋（Ｌ”）の開口部（１７８）に受けるための支柱（３４）、および、（ｉｉ）前記関連する袋の玉状端（４４、４４’）を受けるためのスロット（３８）の少なくとも一方を含む請求項１０乃至１３のいずれか１項に記載の廃棄物収集装置。
【請求項１６】
前記引き抜き機構は、
前記関連する袋（Ｌ、Ｌ’、Ｌ”）に着脱自在に接続したモータ（８２、４４８、５４８、６４８）であって、前記モータの作動時に、前記関連する袋を前記開口（１４、３１４、４２４、５１４、６１４、７１４、８１４）内に引くためのモータ
を含む請求項１乃至１５のいずれか１項に記載の廃棄物収集装置。
【請求項１７】
前記ハウジングに装着されたハンドル（２４、３２４、４２２、５２２、６２２、７２２、８２２、９２２）、および、前記モータに電力を提供するための前記ハウジング（１２、３１２、４１２、５１２、６１２、７１２、８１２、９１２）の一方に作用的に受け取られた１つ以上の電池（Ｂ）
をさらに含む請求項１６記載の廃棄物収集装置。
【請求項１８】
前記ハウジング（１２、４１２、５１２、６１２、７１２、８１２、９１２）に装着されたハンドル（２４、３２４、４２２、５２２、６２２、７２２、８２２、９２２）をさらに具備する請求項１乃至１７のいずれか１項に記載の廃棄物収集装置。
【請求項１９】
前記ハンドルは、入れ子式に折り畳まれた位置と入れ子式に拡張された位置との間を動くことができる入れ子式ハンドル（８２２）である請求項１８記載の廃棄物収集装置。
【請求項２０】
前記ハウジング（４１２、５１２、７１２、８１２、９１２）は基部部分（４１４）を含み、前記ハンドル（４２２、５２２、７２２、８２２、９２２）は、前記基部部分に旋回式に取り付けられ、そのため、前記ハンドルは、コンパクトな保管のために前記基部部分内に折ることができる請求項１８または１９に記載の廃棄物収集装置。
【請求項２１】
前記ハウジング（４１２、５１２、７１２、８１２、９１２）は、前記基部部分、および、前記基部部分の前方端に隣接して旋回式に装着されたフレーム（４２０、５２０、７２０、８２０）によって画成され、開口位置において、前記フレームおよび前記基部部分は前記開口（４２４、５１４、７１４、８１４）を共に画成し、閉鎖位置において、前記フレームはコンパクトな保管のために前記基部部分の周りを旋回する請求項１９または２０に記載の廃棄物収集装置。
【請求項２２】
前記基部部分は、下部壁（４１４）と、前記下部壁から上方に延在する一対の間隔をおいて離れた側壁（４１６、４１８）とを含み、前記ハンドル（４２２）は前記下部壁に対して折ることができる請求項２０または２１に記載の廃棄物収集装置。
【請求項２３】
開口位置と閉鎖位置との間を動くことができるドア（５０、３５０、６８８）であって、前記開口（１４、３１４、６１４）を閉じ、前記閉じた開口に受け取られる前記関連する袋（Ｌ、Ｌ’、Ｌ”）を締め付けるドア
をさらに含む請求項１乃至２２のいずれか１項に記載の廃棄物収集装置。
【請求項２４】
前記ハウジングは、
メインハウジング（６２２、８２２）と、
前記メインハウジング部分から取り除くことができるハウジング付属品（６８４、６８６；８８４、８８６）と、
を含む請求項１記載の廃棄物収集装置。
【請求項２５】
前記ハウジング（１２、４１２、５１２）に接続され、且つ、前記ハウジングの前記開口に隣接して光を提供するために位置決めされた光源（７４、４７８、８７８）をさらに具備する請求項１乃至２４のいずれか１項に記載の廃棄物収集装置。
【請求項２６】
前記光源を選択的に作動するためのスイッチ（１２０、４５０、８５０）をさらに含む請求項２５記載の廃棄物収集装置。
【請求項２７】
前記関連する袋（Ｌ、Ｌ’、Ｌ”）の補充品を保持するために前記本体に保管コンパートメント６２をさらに含む請求項１乃至２６のいずれか１項に記載の廃棄物収集装置。
【請求項２８】
開口（１４、３１４、４２４、５１７、６１４、７１４、８１４）を画成するハウジング部分（１２、３１２、４１２、５１２、６１２、７１２、８１２、９１２）を含む本体と、
閉鎖端（４４、４４’、４４”、４３８）および開口端（４６、４６’、４６”、４４０）を有するライナー袋（Ｌ、Ｌ’、Ｌ”）であって、前記閉鎖端は前記開口に受けられ、前記開口端は前記ハウジング部分開口上に折り返されるライナー袋と、
前記本体に回転可能に接続され、前記ライナー袋の前記閉鎖端に着脱自在に接続されるスプール（２６、４２６、５２６、６２６、７２６、７２６’、９２６）であって、前記スプールが第１の方向に回転することが前記ライナー袋を前記開口内に引くスプールと、
を具備する廃棄物収集装置。
【請求項２９】
前記本体に装着され、前記スプールを前記第１の方向に動力回転させるために前記スプール（２６、４２６、５２６、６２６、７２６、７２６’）に作用的に接続されたモータ（８２，４４８、５４８、６４８）と、
前記モータを作用するためのスイッチ（１２０、３５０、４５０、５５０、６５０、７５０、８５０）と、
をさらに含む請求項２８記載の廃棄物収集装置。
【請求項３０】
前記スイッチを作動し、前記モータ（４４８）が前記スプール（４２６）を回転するように、十分な力をそれに加えたときに前記モータを前記スプールに接続する第１のノブ（４５０）をさらに具備する請求項２９記載の廃棄物収集装置。
【請求項３１】
前記スプールが第２の方向に自由に回転可能であるように、十分な力をそれに加えたときに前記スプール（４２６）を前記モータ（４４８）から外す第２のノブ（４６０）
をさらに含む請求項３０記載の廃棄物収集装置。
【請求項３２】
前記ライナー袋（Ｌ、Ｌ’、Ｌ”）の前記閉鎖端（４４、４４’、４４”、４３８）が取り付けられるキャリッジ（３０）と、
前記キャリッジを前記スプール（２６）に接続する接続要素（９８）であって、前記スプールが前記第１の方向に回転するときに前記スプールに巻き、それによって前記キャリッジを前記開口（１４）から離して引く接続要素と、
をさらに含む請求項２８乃至３１のいずれか１項に記載の廃棄物収集装置。
【請求項３３】
前記ライナー袋（Ｌ、Ｌ’、Ｌ”）は、前記ライナー袋の前記閉鎖端（４４、４４’、４４”、４３８）に固定されたシート（１７０、１７０’、１７０”、４７１）を含む請求項２８乃至３２のいずれか１項に記載の廃棄物収集装置。
【請求項３４】
前記シート（１７０、１７０’、１７０”、４７１）は、液体を吸収するために吸収性材料を具備する請求項３３記載の廃棄物収集装置。
【請求項３５】
前記本体に回転可能に接続されたライナー袋（Ｌ、Ｌ’、Ｌ”）のロールであって、前記ライナー袋はライナー袋の前記ロールに取り付けられ、そのため、前記ライナー袋の第１のものを廃棄するときに、ライナー袋の前記ロールから第２のライナー袋を容易に使用することができるライナー袋のロール
をさらに含む請求項１乃至３４のいずれか１項に記載の廃棄物収集装置。
【請求項３６】
開口（１４、３１４、４２４、５１４、６１４、７１４、８１４）を画成する本体（１２、３１２、４１２、５１２、６１２、７１２、８１２、９１２）と、
前記開口に受けられる閉鎖端（４４、４４’、４４”、４３８）と、前記開口に隣接して前記本体のまわりに受けられる開口端（４６、４６’、４６”、４４０）と、を有するライナー（Ｌ、Ｌ’、Ｌ”）と、
前記本体に回転可能に接続され、前記ライナーに接続されるスプール（２６、４２６、５２６、６２６、７２６、７２６’、９２６）であって、そのため、前記スプールが第１の方向に回転するときに前記ライナーが前記本体内に引かれるスプールと、
前記本体に装着され、前記スプールを前記第１の方向に動力回転するために前記スプールに選択的に接続されるモータ（４８、４４８、５４８、６４８）と、
を具備する廃棄物収集装置。
【請求項３７】
少なくとも１つのホイール（５３３）が、前記本体を表面に動かすのを容易にするために、前記本体に回転可能に装着される請求項３６記載の廃棄物収集装置。
【請求項３８】
開口（１４、３１４、４２４、５１４、６１４、７１４、８１４）と、前記開口内に位置する引き抜き機構（３０、８２、２６、９８；４２６、４４８、４５６、４３２、４６０、４６４；５２６、５４８、５５６、５３２、５８０、５８２；６２６、６４８；７２６；７２６’；９２５、９２６）とを備えたハウジング（１２、３１２、４１２、５１２、６１２、７１２、８１２、９１２）を提供するステップと、
閉鎖端（４４、４４’、４４”、４３８）および開口端（４６、４６’、４６”、４４０）を有するライナー袋（Ｌ、Ｌ’、Ｌ”）を、前記袋閉鎖端が前記開口内に位置するように、前記本体に装着するステップと、
前記袋閉鎖端を前記引き抜き機構に接続するステップと、
前記袋開口端を前記本体開口上に折り返すステップと、
前記袋開口端を、収集するべき廃棄物材（Ｗ）に隣接して位置決めするステップであって、前記廃棄物材は表面（Ｓ）に位置するステップと、
前記袋を、前記引き抜き機構で前記ハウジング内に引くステップと、
前記廃棄物材を前記表面から前記袋内に同時に移すステップと、
を含む廃棄物を収集する方法。
【請求項３９】
前記袋閉鎖端（４４、４４’、４４”、４３８）を前記引き抜き機構（３０、８２、２６、９８；４２６、４４８、４５６、４３２、４６０、４６４；５２６、５４８、５５６、５３２、５８０、５８２；６２６、６４８；７２６；７２６’；９２５、９２６）から取り外すステップと、
前記袋（Ｌ、Ｌ’、Ｌ”）を前記ハウジング（１２、３１２、４１２、５１２、６１２、７１２、８１２、９１２）から取り除くステップと、
を含む請求項３８記載の方法。
【発明の詳細な説明】
【技術分野】
【０００１】
本発明は、廃棄物収集装置に関する。より詳細には、本発明は、きれいにすべき表面から廃棄物または破片（液体、固体または半固体でありうる）を機械的に除去するために使い捨てライナー袋を使用する電動式廃棄物収集装置に関する。廃棄物収集装置およびライナー袋は、様々な形で使われ、特にこれらの形のいくつか参照して説明される。しかし、本発明は、他の類似した環境および用途に関連してもよいことを認識すべきである。
【背景技術】
【０００２】
広く様々な形態の廃棄物収集装置が一般によく知られている。そのような廃棄物収集装置の１つの代表的な例は、Ｗｅｓｅｎｅｒらに付与された特許文献１に開示されている。特許文献１は、比較的少量の廃棄品を表面から除去するための廃棄品収集装置に関する。特許文献１の装置は、一方の端に開口を有するハウジングと、その頂部表面に装着されたハンドルとを含む。ユーザは、操作のために、装置の開口を収集すべき材料または廃棄物に隣接して置き、廃棄物を開口内にすくい集める。廃棄物をすくい集めるのを補助するために、開口の底部に沿って可撓性リップが設けられる。装置は、中に廃棄物を収集した後に、開口を覆うためにハウジングに旋回式に固定された蓋をさらに含む。装置とともに使用されるための使い捨て袋が開示されている。
【０００３】
特許文献１の装置の１つの欠点は、廃棄物を収集するのに必要なすくい集める動きが、結果として、廃棄物をその中に入れるのではなく装置から振り飛ばす可能性があることである。さらに、このすくい集める動きは、ユーザが、廃棄物を開口内に強制するのを困難にすることがある。これは、たとえばこぼれたヨーグルト等の半固体である廃棄物を拾い集めるために装置を使用するときに、特に明らかである。すくい集める動きは、この半固体廃棄物をまわりに押し、一般に、廃棄物の除去を容易にはしない。
【０００４】
いくつかの公知の装置、たとえば、Ｎａｄｒａｔｏｗｓｋｉに付与された特許文献２に例示されたもの等のいくつかの公知の装置は、ライナーによって拾い上げられた破片と共にハウジング内にライナーを引くように設計されており、これらの装置もまた欠点を有する。たとえば、ハウジングは破片を拾い上げる表面に対してかなり急勾配で保持されるため、破片がハウジングから落ちることがある。また、ハウジングは表面に隣接して狭い開口を呈するだけであるため、より広い破片または廃棄物をきれいに拾い上げることは困難である。
【特許文献１】米国特許第５，３８２，０６３号
【特許文献２】米国特許第４，０７８，８３８号
【発明の開示】
【発明が解決しようとする課題】
【０００５】
したがって、使用するのが容易であり且つ半固体状態であるときでさえ廃棄物を除去することができる廃棄物収集装置が必要である。各使用後に装置を掃除する必要性を減じるように、そのような装置はライナーとともに容易に使用可能であることが望ましい。きれいにされる表面の散乱を減じるように、ライナーが廃棄物を装置内に引くことがさらに望ましい。任意に、そのような装置は１つ以上の下記の特徴をさらに含むことができ、すなわち、手で持つことができることと、電池で操作されることと、コンパクトな保管用に折り畳むことができること、であり、追加ライナー用の保管を含み、照明を提供し、除去された廃棄物が装置から逃れるのを防止するための手段を含むことができる。
【課題を解決するための手段】
【０００６】
本発明は、上述した困難を克服し、前述のおよび他の有利な特徴を提供する新規な改良された廃棄物収集装置を提供する。より詳細には、本発明の１つの態様によれば、廃棄物収集装置は、開口を画成するハウジングを含む本体を含む。ハウジング開口は、関連する袋の開口端がその上に折り返されるのを可能にし、ハウジングはその中に関連袋の閉鎖端を受け取る。引き抜き機構が本体に接続され、関連袋をハウジング内に選択的に引くために関連袋に着脱自在に接続される。
【０００７】
本発明の別の態様にしたがって、廃棄物収集装置が提供される。より詳細には、本発明のこの態様にしたがって、廃棄物収集装置は、開口を画成するハウジングを含む本体を含む。ライナー袋は、開口に受け取られる閉鎖端を有する。ライナー袋はまた、開口部分上に折り返される開口端を有する。スプールは本体に回転可能に接続され、ライナー袋の閉鎖端に着脱自在に接続される。スプールが第１の方向に回転することが、ライナー袋を開口内に引く。
【０００８】
本発明のさらに別の態様にしたがって、廃棄物収集装置が提供される。より詳細には、本発明のこの態様によれば、廃棄物収集装置は開口を画成する本体を含む。ライナーは、開口に受け取られる閉鎖端と、開口に隣接した本体のまわりに受け取られる開口端とを有する。スプールは、本体に回転可能に装着され、ライナーに接続され、そのため、スプールの第１の方向の回転時にライナーは本体内に引かれる。モータは、本体に装着され、スプールが第１の方向に動力回転するために、スプールに選択的に接続される。
【０００９】
本発明のさらに別の態様にしたがって、廃棄物を収集する方法が提供される。より詳細には、本発明のこの態様にしたがって、ハウジングには、開口と開口内に位置する引き抜き機構が設けられる。袋閉鎖端および袋開口端を有するライナー袋が、袋閉鎖端が開口内に位置するように、ハウジングに装着される。袋閉鎖端は引き抜き機構に接続される。袋開口端は開口上に折り返される。上に折り返された開口端を有する袋開口は、収集するべき廃棄物材に隣接して位置決めされる。廃棄物材は表面に位置する。袋は引き抜き機構でハウジング内に引かれる。廃棄物材は表面から袋内に同時に移される。
【００１０】
本発明は、様々な構成要素および構成要素の配列で、および、様々なステップおよびステップの配列で、物理的な形態を取ってもよい。図面は、本発明の好適な実施の形態を例示するためのみであり、本発明を限定するように解釈されるべきではない。
【発明を実施するための最良の形態】
【００１１】
図面を参照すると、図示は、本発明の好適な実施の形態を例示するためであり、これを限定する目的ではなく、図１は、全体として参照符号１０によって示される本発明の１つの好適な実施の形態による廃棄物収集装置を示す。装置１０は、ハンドル２４を有する本体と、その一方の端に広い口の開口１４を有するかまたは画成するハウジング１２を含む。ハウジング１２は、実質的に平らな下部壁１６と、一対の側壁１８、２０と、上部壁２２とから形成される。開口１４に対向する端から、ハンドル部材２４は、上部壁２２上の離れた位置に向かって変曲する。当然ながら、ハウジング１２およびハンドル２４は、図示され記載された装置に限定されず、ハウジング１２およびハンドル２４は、本発明の範囲内で代替構成を有することができることを認識すべきである。たとえば、他の構成として、限定なしで、円筒形であるかまたは長さが短いハウジング１２、ハウジング１２の別の部分から延在するかまたはハウジング１２内に形成されたハンドル２４、例示された実施の形態の開口１４よりも高さが比較的短い非常に広い口の開口を有するハウジング等が挙げられる。しかし、いずれの構成においても、廃棄物、特に半固体廃棄物を除去する目的で広い且つ／または平らな下部壁を有することが有利である。
【００１２】
図３をさらに参照すると、装置１０は、ハウジング１２に接続された引き抜き機構をさらに含む。ここで使用されるように、機構とは、機械部品の配列、または、機械部品のように相互作用するか作動する部品のシステムを意味する。引き抜き機構は、ライナー袋またはライナー袋Ｌの一方の端を受けるために下部壁１６に摺動可能に接続されたキャリッジ３０を含む。このキャリッジ３０は、下記に詳細に説明されるように、ライナーＬを装置１０内に装填し、廃棄物または破片を拾い上げるのを補助するように適合される。キャリッジ３０は、基部３２と、ライナーＬをそれに剥離可能にまたは着脱自在に接続するための手段とを含む。ライナーＬをキャリッジ３０に剥離可能に接続するための手段は、（１）支柱３４と、（２）基部３２から上向きに延在する壁３６と壁３６に画成されたスロット３８（図１）とを有する壁およびスロット配列とを含む。図１３をさらに参照すると、キャリッジ３０は、ハウジング１２の長手方向の長さに平行な下部壁１６に沿って画成されたキャリッジスロット４２内に受けられる係合部分４０をさらに含む。
【００１３】
図１および図３を特に参照すると、ライナーＬは一般に、閉鎖端４４と開口端４６とを有する袋状容器である。ライナーＬの閉鎖端４４は、ライナーＬの玉状に一体化された部分とすることができる。これによって、ライナーＬは、従来のゴミ袋に類似した管状の可撓性材料で形成することが可能である。より具体的には、管状の可撓性材料の一方の端は、玉状に一体化されて、ライナーＬの閉鎖端４４を形成する。他方の端４６は開いたままであり、そのため、ライナーＬはその中に廃棄物または破片を受けることができる。図３に示されるように、ライナーＬの玉状端４４は、キャリッジ３０のスロット３８内に受けられることが可能である。より具体的には、玉状端４４のすぐ前にあるライナーＬの領域４８はスロット３８を通って進み、玉状端４４は壁３６のすぐ後ろに置かれる。このようにして、スロット４２にほぼ平行な方向のライナーＬの軸方向引出力によってもライナーＬはキャリッジ３０から取り外されることはない。同様に、キャリッジ３０がハウジング１２内へ動くと、壁３６が玉状端４４をハウジング１２内に強制するため、ライナーＬを開口１４内に引き込む。
【００１４】
図１および図３を続けて参照すると、装置１０は閉鎖構造物またはドア５０も含み、ドア５０が閉鎖位置へ動くと開口１４が閉じられる。ドア５０は、図１および図３では開いた位置で示され、ドア５０は一般に開口１４を妨害しない。下記により詳細に説明されるように、ドア５０は、摺動可能に受けられたノブ５２によって開口位置および閉鎖位置の間を動く。ノブ５２は、ハウジング１２の上部壁２２に形成されたスロット５４に摺動可能に受けられるかまたは係合される。ノブ５２は、リンク５６によってドア５０に接続されている。リンク５６を経由してドア５０を動かすためにノブ５２が使用される際、下記に詳細に説明されるように、ドア５０は、側壁１８、２０に形成された一対のトラックまたは溝５８（図１および図３には一方のみが示されている）に沿って動く。
【００１５】
ハンドル２４は数種類の機能的な特徴を含む。具体的には、ハンドル２４の下側には起伏のある部分６０が形成されており、そのため、ユーザは良好に、装置１０を保持し操作することができる。さらに図９を参照すると、保管コンパートメント６２をハウジング１２に隣接するハンドル２４の下部部分に形成することができ、保管コンパートメント６２内に回転可能に装着されたロールまたはスプール６４に複数のライナーＬを保管する。保管コンパートメント６２は、保管コンパートメントカバーまたはドア６６を通ってアクセス可能である。電池保管コンパートメント６８は、把持部分６０に隣接するハンドル２４の中間部分に形成することができる。一対の従来のＡＡアルカリ電池（ＡＡ  ａｌｋａｌｉｎｅ  ｂａｔｔｅｒｉｅｓ）等の１つ以上の電池Ｂを作用的に受け入れるように、電池保管コンパートメント６８を構成することができる。電池保管コンパートメント６８は、電池保管コンパートメントカバーまたはドア７０を通ってアクセス可能である。
【００１６】
ハンドル２４の前方部分、すなわち、開口１４にもっとも近いハンドル２４の部分は、照明アセンブリ７２を含むことができる。照明アセンブリ７２は、光ビームを生成する従来の電池式の電球等の光源７４を含む。光源７４は、ハンドル２４のソケット７６に受けられ、開口１４の前の領域またはこれに隣接する領域を照明するために光ビームが透明なカバーピース７８を通って方向づけられるように配向される。光源７４は、これに電力を提供するために、電池Ｂに選択的に電気的に接続することができる。キャップ部材８０は、ハンドル２４にねじ込み式に受けられ、カバーピース７８を適所に保持し、交換のために必要であるような光源７４へのアクセスを提供する。当然ながら、装置１０のハンドル２４は、代替として、照明アセンブリなしで構成することができる。
【００１７】
図３に戻って参照すると、電池Ｂと照明アセンブリ７２との間に、ハンドル２４は、従来の電池式電気モータ等のモータ８２を含む駆動機構を含む。モータ８２は、ハンドル２４内に旋回式に装着されたハウジング８４によって適所に保持される。モータ８２は、これに電力を提供するために、電池Ｂに選択的に電気的に接続することができる。駆動機構および特にモータ８２は、モータ８２からの回転力をキャリッジ３０の直線運動に転換するように作用する駆動機構の伝達アセンブリによって動力による引張り運動を与えるために、キャリッジ３０に接続されている。
【００１８】
図１０を参照すると、伝達アセンブリは、複数のギアおよび／またはローラ８８、９０、９２、９４を含み、伝達アセンブリのスプール９６を選択的に回転する。ストリング等の伝達アセンブリの可撓性接続要素９８は、スプール９６とキャリッジ３０との間に延在する。したがって、接続要素９８は、一方の端でキャリッジ３０に接続され、他方の端でスプール９６に接続されている。スプール９６がモータ８２によって第１の方向に回転すると、ストリング９８はスプール９６のまわりに巻かれ、キャリッジ３０を開口１４から内向きに引く。スプール９６が、手動で第２の反対方向に回転すると、開口１４へ向かうキャリッジ３０の運動によって、ストリング９８はスプール９６から解かれる。
【００１９】
より具体的には、モータ８２は、その遠位端に形成されたウォームギア８８を有する出力シャフト１００を含む。ウォームギア８８は、第１のステップギア９０の外側ギア部分１０２の歯に係合する歯またはスレッドを含む。第１のステップギア９０の内側ギア部分１０４の歯は、第２のステップギア９２の外側ギア部分１０６の歯に係合する。第２のステップギア９２は、コンパウンドギアおよびローラ部材９４の外側ギア部分１１０の歯に係合する歯を有する内側ギア部分１０８含む。複数のギア８８〜９４のすべては、旋回式に装着されたハウジング８４内に含まれる。
【００２０】
ハウジング８４は、ピボット１１２によってハンドル２４に旋回式に接続され、ピボット１１２を中心にして動くことができる。より具体的には、ハウジング８４は、コンパウンドギアおよびローラ部材９４の内側ローラ部材または力転送ローラ１１４がスプール９６から係合解除される第１の位置と、コンパウンド部材９４がスプール９６を回転させるように内側ローラ部材１１４がスプール９６に摩擦係合する第２の位置と、の間を旋回式に動くことができる。装置１０は、スプール９６の自由回転を可能にするために、スプール９６から力転送ローラ１１４を係合解除するための手段を含む。例示された実施の形態において、力転送ローラを係合解除するための手段は、ハンドル２４に設けられた、ばね等の第１の偏倚部材１１６を含む。このばね１１６は、ハウジング８４を第１の係合解除位置へ向けて促す。
【００２１】
第１の偏倚部材１１６の力に対する第２の係合位置へ向けてハウジング８４を動かすために、スイッチアセンブリ１１８もまたハンドル２４に設けられる。スイッチアセンブリ１１８は、ハンドル２４の表面から突出するアクチュエータまたはノブ１２０を含む。アクチュエータ１２０は、通常の拡張位置から、第１の押し下げられた位置へ、および、第２のさらに押し下げられた位置へ、動くことができる。第２のさらに押し下げられた位置において、アクチュエータ１２０は、スイッチアセンブリ１１８をして、ハウジング８４を第２の係合位置へ向けて動かし、第１の偏倚部材１１６の力に打ち克つ。
【００２２】
このようにして、図１１を参照すると、アクチュエータ１２０が押し下げられていないときには、第１の偏倚部材１１６は、ハウジング８４をその第１の係合解除位置に維持し、ローラ部材１１４は、スプール９６に摩擦係合しない。しかし、図１２を参照すると、アクチュエータ１２０が第２の位置に押し下げられると、スイッチアセンブリ１１８は、ハウジング８４を第１の偏倚部材１１６の力に対してその第２の係合位置内に動かし、ローラ部材１１４はスプール９６に摩擦係合する。第２の係合位置において、モータ８２は、スプール９６に接続され、上述のギア配列を通してこれを回転することができる。ひとたびアクチュエータ１２０がもはや第２の位置に押し下げられていないと、ハウジング８４は、第１の偏倚部材１１６の力によって第１の係合解除位置へ戻り、モータ８２はもはや、その回転のためにスプール９６に接続されていない。
【００２３】
図１０に戻って参照すると、スイッチアセンブリ１１８のアクチュエータ１２０は、（１）電池Ｂと光源７４との間、および（２）電池Ｂとモータ８２との間、の電気スイッチとしても作用する。より具体的には、アクチュエータ１２０が第１の位置に押し下げられると、電力は電池Ｂから光源７４へ流れることができ、開口１４に隣接した領域を照明し、電力は電池からモータ８２へ流れることができ、駆動シャフト１００を回転する。あるいは、アクチュエータ１２０が第２の位置に押し下げられたときには、または第１の位置と第２の位置との間にあるときには、電力はモータ８２へ流れることができるのみである。当然ながら、別個のスイッチを使用して、光源を選択的に作動することもできる。いずれの場合にも、アクチュエータ１２０が第１の位置に押し下げられたときに流れることができる電力は、第２の位置へさらに押し下げられたときに、続けて流れることができる。
【００２４】
スイッチアセンブリ１１８は、アクチュエータ１２０を拡張位置へ向けて促す、ばね等の第２の偏倚部材１２２をさらに含む。したがって、ユーザがもはやアクチュエータ１２０を押し下げていないときには、且つ、第２の位置において、第２の偏倚部材１２２の力に打ち克つ場合には、アクチュエータ１２０はその拡張位置へ戻る。拡張位置において、電池Ｂから光源７４およびモータ８２への電気接続は、遮断される。所望により、２つのスイッチまたはアクチュエータを使用することができる。光源７４およびモータ８２に電力供給するための電源として電池が示され説明されているが、電池Ｂの代わりに、他のいずれの電源を使用してもよいことが認識されるべきである。たとえば、装置１０は、代替的に、従来のＡＣ電力または再充填電池を使用して、操作するように構成されることができる。
【００２５】
図３を参照すると、スプール９６はバレル１２４を含み、これに対してストリング９８の一方の端が固定される。スプール９６が、上述のように、第１の方向にモータ８２によって回転すると、ストリング９８は、上へ且つバレル１２４のまわりに巻かれる。ストリング９８の他方の端はキャリッジ３０に固定されている。ストリング９８は、複数のプーリによってハンドル２４およびハウジング１２を通って案内される。このようにして、ストリング９８がスプール９６のまわりに巻かれると、キャリッジ３０はトラック４２に沿って案内され、開口１４から離れてハウジング１２内に引かれる。スプール９６が第２のステップギア９４から係合解除されると、スプール９６は自由に回転し、ストリング９８は、それから解かれることができ、それによって、キャリッジ３０がトラック４２に沿って開口１４へ向けて動くことが可能になる。
【００２６】
ライナーＬを廃棄物収集装置１０内に装填するために、ドア５０およびキャリッジ３０は、これらの構成要素が既に適切な位置にない場合には、適切な位置へ動く。より具体的には、図３を参照すると、ドア５０は、既に開口位置にない場合には、開口位置へ動く。ドア５０をその閉鎖位置からその開口位置へ動かすために、ユーザは、ノブ５２を押し、これを開口１４から離してトラック５４に沿って摺動させる。ノブ５２は、一対のトラック５８に沿ってリンク５６を経由してドア５０を引き、ドア５０をその開口位置に位置決めする。より具体的には、ドア５０は、１セットの４つのタブまたはスタブ１３０を含み（図１３も参照）、これはトラック５８に沿って動き、ドア５０の運動を案内する。リンク５６はノブ５２とともに動く。キャリッジ３０に接続して、既にその位置にない場合には、開口１４に隣接する位置（示された位置および第１の位置）へ動く。キャリッジ３０を開口１４に隣接する位置へ他のいずれの位置から動かすために、ユーザはキャリッジ３０を把持し、これを開口１４へ向けて引く。スイッチアクチュエータ１２０が押し下げられていないときには、ストリング９８はスプール９６から解かれ、キャリッジ３０が開口１４へ向けて動くのを可能にする。
【００２７】
ドア５０およびキャリッジ３０がその適切な位置にある場合には、図１および図３を参照すると、ライナーＬの玉状端４４は、キャリッジ壁３６の内部側で、すなわちハウジング１２の内部に面する側で、キャリッジ３０に位置決めされ、そのため、玉状端４４のすぐ前にあるライナーＬの領域４８は、スロット３８内に挿入される。図２および図４を参照すると、ひとたび玉状端４４がキャリッジ３０に固定されると、ライナーＬの開口端４６は、ハウジング１２上に折り返される。この動作は、従来の廃棄物バスケットライナーが従来の廃棄物バスケットのへりの上に折られる典型的な方法に似ている。
【００２８】
次に、図５を参照すると、スイッチアクチュエータ１２０は第２の位置に押し下げられて、キャリッジ３０が第１の内向き位置へ動かされるまで、これを動かす。図示のように、第１の内向き位置は、開口１４に隣接する位置（図１〜図４に示される）と第２の内向き位置（図６に示される）との間に位置する位置である。より具体的には、図１０をさらに参照すると、スイッチアクチュエータ１２０を第２の位置に押し下げると、モータ８２が作動し、これが、複数のギア８８〜９４を回転させハウジング８４を旋回させて、ローラ部材１１４がスプール９６に係合するようにする。コンパウンド部材９４の回転およびスプール９６との摩擦係合の結果として、スプール９６は第１の方向へ回転し、ストリング９８はバレル１２４上に集められ、キャリッジ３０はハウジング１２内に引かれる。ひとたびキャリッジ３０がその第１の内向き位置に到達すると、スイッチアクチュエータ１２０は解放され、すなわち、これはもはや押し下げられていない。第２のばね１２２のため、スイッチアクチュエータ１２０がもはや押し下げられていないときには、モータ８２は止まり、第１のばね１１６のため、ハウジング８４は、スプール９６から離れて旋回しこれから係合解除する。第１の内向き位置において、キャリッジ３０はライナーＬを部分的にハウジング１２内に引き、破片または廃棄物を拾い上げるために、ライナーＬにポケットを形成する。
【００２９】
廃棄物または破片を拾い上げるために、図５を特に参照すると、廃棄物収集装置１０は、わずかに傾斜し、拾い上げることが望まれる１片の破片または廃棄物Ｗに開口１４が隣接するように、位置決めされる。より具体的には、下部壁１６のリップ部分１３４は、廃棄物Ｗと地面または廃棄物Ｗを支持する表面との間に部分的に挿入される。リップ部分１３４は、所望により、下部壁１６に対向する上部壁２２の縁または端よりも大きな距離だけハウジング１２から延在することができる。リップ部分１３４が廃棄物Ｗの下に部分的に挿入されると、廃棄物Ｗの一部は、リップ部分１３４上に折り返されたライナーＬに載置される。次いで、図６をさらに参照すると、アクチュエータ１２０は、開口１４に対向するハウジング１２の後部部分１３６に隣接する第２の内向き位置へキャリッジ３０がモータ８２によって引かれることを可能にするのに十分な時間量の間、第２の位置へ押し下げられる。同時に、ハウジング１２は、手動で、廃棄物Ｗへ向けて前方へ動かされる。
【００３０】
キャリッジ３０が、図５に示された第１の内向き位置から図６に示された第２の内向き位置へ動くと、廃棄物ＷはライナーＬ上で装置１０内に引かれ、装置１０は、廃棄物Ｗへ向けてまたはその中に手動で動かされ、廃棄物Ｗを装置１０に供給し続ける。より具体的には、廃棄物ＷとライナーＬとの間の静止摩擦は、廃棄物Ｗと廃棄物Ｗが載置する表面との間の静止摩擦よりも大きく、これに打ち克ち、比較的弱い重力抵抗は、ライナーＬがハウジング１２内に引かれるときに廃棄物Ｗがハウジング１２内に引かれるように、廃棄物Ｗに作用する。廃棄物Ｗをハウジング１２内に引くのに抵抗する重力は、装置１０が廃棄物Ｗより下の表面に対してほんのわずかに角度づけられるため比較的弱い。ハウジング１２の長さ、および、キャリッジが第１の内向き位置と第２の内向き位置との間を移動する距離は、一般に、廃棄物Ｗがハウジング１２内に完全に引かれるのを可能にするのに十分に長い。
【００３１】
図７を参照すると、ひとたび廃棄物Ｗが装置１０内に引かれると、ドア５０はその閉鎖位置へ動かされる。より具体的には、ノブ５２は、ドア５０の開口位置に対応する第１の位置（図６参照）から、開口１４へ向けてドア５０の閉鎖位置に対応する第２の位置へ、摺動可能に動く。既に述べたように、ノブ５２はリンク５６によってドア５０に接続されている。このようにして、ノブ５２が動くと、ドア５０のスタブ１３０がトラック５８に従うときに、リンク５６はドア５０を閉鎖位置に押し込む。図７を特に参照すると、ドア５０が閉鎖位置に動くと、ドア５０の縁１３８は、リップ部分１３４にまたはその近傍にライナーＬを共に締め付けるかまたは閉じ、それによって、既にライナーＬにあるいずれの廃棄物Ｗを捕捉する。スタブ１３０およびトラック５８の配列および位置決めのため、ドア５０は自動ロック式であり、誤って旋回して開くのが防止される。したがって、ドア５０を開けるにはノブ５２の運動を必要とする。
【００３２】
中に廃棄物Ｗ容器を備えたライナーＬを除去するために、ユーザは、ライナーＬの開口端４６を、または、開口端４６とドア縁１３８によって締め付けられているライナーの領域との間のライナーＬのいずれの部分を把持し、開口端４６を閉鎖して保持する。これは、クランプ（図示せず）によって、または、公知のジップロック型の配列（図示せず）を経由して、永久に閉鎖することもできる。次に、既に詳細に述べたように、ドア５０は、ノブ５２をその第１の位置へ摺動することによって閉鎖位置から開口位置へ動く。図８、および、通常位置にあるすなわち押し下げられていないアクチュエータ１２０、をさらに参照すると、スプール９６は自由に回転し、これは、キャリッジ３０が、ライナーＬを経由して、開口１４に隣接する位置へ引かれることを可能にする。次いで、ライナーＬを装置１０から上げて、玉状端４４をキャリッジ３０から取り除くことができる。その後、中に廃棄物Ｗを備えたライナーＬを廃棄することができる。
【００３３】
図１４は、本発明の別の好適な実施の形態による廃棄物収集装置とともに使用される代りのライナーを示し、ライナーの類似構成要素は、プライム添え字（’）を付けた類似参照符号によって識別され、ライナーの新しい構成要素は新しい参照符号によって規定される。多くの態様において、ライナーＬ’は、上述のライナーＬに類似している。ライナーＬ’は、従来のゴミ袋を形成するのに使用されるような材料から構造されることができる。ライナーＬ’は、閉鎖端または玉状端４４’および開口端４６’を有する。ライナーＬとは異なり、ライナーＬ’は、下記に詳細に説明されるように、廃棄物の除去を補助するためにシート１７０を含む。シート１７０は、玉状端４４’に取り付けられたかまたはこれが形成された第１の端１７２を有し、第２の端１７４は、それからライナーＬ’の開口端４６’のまわりにまたはそのそばに自由に延在することができる。シート１７０は、従来の吸収性ペーパータオルに類似した吸収性材料から形成されることができる。
【００３４】
図１５を参照すると、ライナーＬ’は一般に、ライナーＬを参照して説明されたように、装置１０に設置される。より具体的には、玉状端４４’はキャリッジ３０に接続されるかまたは固定され、開口端４６’は装置１０上に折り返される。シート１７０は、図示したように、装置１０の前方に自由に延在することができる。表面１７２から廃棄物Ｗを除去するために、図１６をさらに参照すると、装置１０は一般に、ライナーＬを参照して上述されたように使用されるが、表面１７２から廃棄物Ｗを除去するのを容易にするために、今はライナーＬ’のシート１７０が使用されることが異なる。より具体的には、シート１７０は、除去されるべき廃棄物Ｗ上に直接位置決めされる。
【００３５】
次に、アクチュエータ１２０は押し下げられて、キャリッジ３０を開口に隣接する位置から第１の内向き位置へ動かす。同時に、または、キャリッジ３０が動いている間に、リップ部分１３４は、廃棄物Ｗの一部と廃棄物Ｗを支持する表面１７２との間に固定され、シート１７０を使用して、少なくとも廃棄物Ｗの一部を装置１０内に物理的に強制する。廃棄物Ｗの一部とシート１７０の物理的な力に組み合わされたライナーＬ’との間の静止摩擦は、廃棄物Ｗと表面１７２との間の静止摩擦よりも大きく、比較的小さな重力が、装置１０のわずかな傾斜または角度づけの結果として、廃棄物Ｗに作用する。したがって、廃棄物ＷはライナーＬ’によって装置１０内に引かれ、ライナーＬ’が装置１０内に引かれるときに、ライナーＬ’とシート１７０との間に捕捉される。
【００３６】
この点で、キャリッジ３０がその第２の内向き位置へ向けて動くと、アクチュエータ１２０は押し下げられ続けることができ、廃棄物Ｗは装置１０内に完全に引かれる。シート１７０は、廃棄物Ｗの除去後に他の方法では残る可能性がある廃棄物Ｗのいずれの液化された部分のいずれまたはいくらかを吸収するというさらなる利益を提供する。シート１７０はライナーＬ’の後部端に隣接してのみ取り付けられるように示されるが、所望によりシート全体をライナーに固定することができることを認識すべきである。その場合、廃棄物は、装置のシート１７０の頂部に位置する。あるいは、ライナーＬ’には、廃棄物Ｗの良好な吸収のために内部全体に沿って、または、ライナーＬ’の下部部分のみに沿って、シート１７０等の吸収材料が形成されることができ、そのため、ライナーＬ’の折り返された部分のみが吸収性シートを有する。
【００３７】
図１７は、本発明のさらに別の好適な実施の形態による廃棄物収集装置とともに使用される別の代りのライナーを示し、類似構成要素は、ダブルプライム添え字（”）を付けた類似参照符号によって識別され、新しい構成要素は新しい参照符号によって規定される。ライナーＬ”は、複数の巻かれたライナー１７４の１つとして形成されてもよい。各ライナーＬ”は、閉鎖端４４”と開口端４６”とを含む。さらに、各ライナーＬ”は、任意に、上述のような、または、上記に検討されたいずれの代替構成において、シート１７０”を含む。ライナーＬ”は、シーム１７６に沿ってライナーＬ”を形成するために使用された材料の一部を共に溶解することによって、閉鎖端４４”に隣接して閉鎖される。ライナーＬ”を廃棄物収集装置のキャリッジに締めるために、シーム１７６に隣接して、開口１７８が設けられている。具体的には、開口１７８は、キャリッジの支柱（図１の支柱３４参照）に受けられることができる。ライナーＬ”は、ライナー１７４のロールからライナーＬ”を分離するために、ミシン目１８０を含む。大半の他の態様において、ライナーＬ”は、ライナーＬおよびＬ’を参照して上述されたように使用される。
【００３８】
図１８を参照すると、本発明の別の好適な実施の形態にしたがって廃棄物収集装置３１０が示される。装置３１０は、細長い直立ハンドル３２４を含み、これによって、ユーザは腰を曲げたりしゃがんだりすることなく装置３１０を操作することができ、すなわち、ユーザは、立ったまま破片または廃棄物を拾い上げることができる。細長いハンドル３２４のために装置３１０の容積が増した結果として、装置３１０とともに使用されるライナーＬは伸張されることができ、それによって装置３１０およびライナーＬは、複数の廃棄物の積み重ねまたは片Ｗを拾い上げ保管することができる。使用を容易にするために、装置３１０のノブ３５２は、開口３１４からより大きな距離に且つ把持部分３５８に比較的近くに位置決めされ、そのため、ユーザは、ノブ３５２を操作するために手を伸ばしたり腰を曲げたりする必要はない。大半の他の態様において、装置３１０は、装置１０を参照して上述されたように構成され使用される。
【００３９】
図１９は、本発明のさらに別の好適な実施の形態による折り畳み式の廃棄物収集装置４１０を示す。装置４１０は折り畳まれた位置に示され、装置は、保管が容易であるために、比較的コンパクトである。装置４１０は、実質的に平らな下部壁４１４、および、下部壁４１４から上向きに延在する一対の間隔をおいて離れた側壁４１６、４１８から形成されたＵ字形またはチャネル形状の基部部分４１２を含むハウジングを有する本体も含むことができる。装置４１０の本体はまた、Ｕ字形基部部分４１２の一方の端に旋回式に装着されたＵ字形開口フレーム４２０と、基部部分４１２の対向する端に旋回式に接続されたハンドル４２２とを含む。ハンドル４２２は、コンパクトな保管のために、折り畳まれた位置で下部壁４１４に対しておよび基部部分４１２内に折られる。
【００４０】
図２０をさらに参照すると、装置４１０は広げられた位置に示され、装置は、下記に詳細に説明されるように、廃棄物を除去することができる。広げられた位置において、ハンドル４２２は基部部分４１２に対して旋回し、そのためハンドル４２２は本体の平面に対して傾斜され、これによってハンドル４２２がユーザによって把持されるのを可能にする。たとえば、ハンドルは、下部壁４１４の平面に対して直角に向けることができる。さらに、開口フレーム４２０は、フレーム４２０がＵ字形基部部分４１２を中心にして旋回するかまたは入れ子になる閉鎖位置（図１）から、フレーム４２０およびＵ字形基部部分４１２が共にへりまたは開口４２４を画成する開口位置へ動く。フレーム４２０が開口位置にあり開口４２４が画成されるときには、ライナーＬを装置４１０へ固定することができる。しかし、装置は、フレーム４２０なしで、操作することもできる。
【００４１】
より詳細には、次に図２１を参照すると、装置４１０は、本体に回転可能に接続されたスプール４２６を含む引き抜き機構をさらに含む。スプール４２６は、下記に詳細に説明されるように、廃棄物または破片を拾い上げる目的のために、ライナーＬを装置４１０内に選択的に引くために、ライナーＬに着脱自在に接続されるように適合される。スプール４２６は、それにライナーＬを剥離可能に接続するための手段と、スプール４２６のまわりに巻かれるときにライナーＬを受け取るためのバレル４２８と、スプールの動力回転のための手段とを含む。図２８をさらに参照すると、例示された実施の形態において、ライナーＬをスプール４２６に剥離可能に接続するための手段は、バレル４２８に画成される袋取付スロット４３０である。代替の構成において、ライナーＬをスプール４２６に剥離可能に接続するための手段は、クランプ、スロットを有する隆起フランジ等でありうる。動力回転用の手段は、バレル４２８に接続された一対のスプールギア４３２（図２５〜図２９参照）である。代替の構成において、動力回転用の手段は、電源による摩擦係合用に適合された円筒形表面、チェーン駆動されるように適合されたスプロケット等でありうる。
【００４２】
図２２を参照すると、スプール４２６は、部分的にバレル４２８のまわりに部分的に巻かれたライナーＬを備えて示される。矢印４３４は、ライナーＬをバレル４２８のまわりに巻くのに影響を与えるようにスプール４２６を回転することができる第１の方向を示す。矢印４３６は、ライナーＬが開口４２４内にスプール４２６へ向けて引かれる方向を示す。ライナーＬをスプール４２６へ向けて引くことを使用して、下記に詳細に説明されるように、廃棄物Ｗを表面または地面（図示せず）から除去することができ、上記廃棄物をスプール４２６へ向けて引く。
【００４３】
図２０〜図２２を参照すると、ライナーＬは一般に、閉鎖端４３８と開口端４４０とを有する袋状容器である。閉鎖端４３８は、ライナーＬの玉状にされた部分でありうる。これによって、ライナーＬが、従来のゴミ袋に類似した管状の可撓性材料から形成されるのが可能になる。ライナーＬを作るために、管状の可撓性材料の一方の端は玉状にされて閉鎖端４３８を形成し、他方の端４４０は開いたままであり、そのため、ライナーＬはその中に廃棄物または破片を受けることができる。図２１に示されるように、ライナーＬの玉状端４３８は、スプール４２６のスロット４３０内に受けられることが可能である。玉状端４３８は、スロット４３０へほぼ垂直な方向に押されるかまたは引かれるときに、スロット４３０に容易に挿入されるかまたは取り除かれることができる。しかし、スプール４２６が回転するときには、玉状端４３８は一般に、ライナーＬがスプール４２６から離れて引くのを防止する。結果として、第１の方向にスプール４２６が回転することは、ライナーＬを開口４２４内に引かせ、スプール４２６に巻き、第２の逆方向にスプール４２６が回転することは、巻かれたライナーＬをスプール４２６から解かせる。
【００４４】
本体４１２を中心にして旋回することができることに加えて、ハンドル４２２は、他の数種類の機能的特徴を含む。より具体的には、ハンドル４２２は、その下側に形成された起伏のある把持部分４２２を含み、そのため、ユーザは良好に、装置４１０を把持し操作することができる。把持部分４４２に隣接するハンドル４２２の中間部分に、電池保管コンパートメント４４４を任意に形成することができる。電池保管コンパートメント４４４は、従来のＡＡアルカリ電池等の１つ以上の電池Ｂを作用的に受け取るように構成されることができる。電池保管コンパートメント４４４は、カバーまたはドア４４６を通ってアクセス可能でありうる。
【００４５】
ハンドル４２２は、スプール４２６に動力回転を与えるために、従来の電池式電気モータ等のモータ４４８を含む駆動機構をさらに含む。モータ４４８は、ハンドル４２２の遠位端に位置するスイッチ４５０の作動によってこれに電力を提供するために、電池Ｂに選択的に電気的に接続することができる。したがって、スイッチ４５０が押し下げられる間に、電力は電池Ｂからモータ４４８へ流れることができ、駆動機構がスプール４２６に接続されてスプールを回転するときには、ライナーＬをスプール４２６に巻くことができ、それによってライナーＬを開口４２４内に引く。スイッチ４５０が解放されると、電池からの電力は遮断され、モータ４４８へ達するのが防止される。
【００４６】
駆動機構は、モータ４４８からの出力をスプール４２６へ選択的に接続するための手段をさらに含み、そのため、モータ４４８が作動されるときにはスプールは第１の方向に回転する。より詳細には、モータ４４８は、動力回転のためにスプール４２６に選択的に機械的に接続される。機械的に接続されたときには、モータはウォームギア４５２を駆動する。ウォームギア４５２は、小型ギア４５４に係合する歯またはスレッドを含む。小型ギア４５４は、一対の大型駆動ギア４５６と車軸を共有する（図２５〜図２７参照）。したがって、小型ギア４５４がウォームギア４５２によって回転するときには、大型ギア４５６が回転する。下記に詳細に説明されるように、スプールギア４３２は、スプールギア４３２の各々がそれぞれ大型ギア４５６の各々に係合する係合位置と、スプールギア４３２が大型ギア４５６から係合解除される係合解除位置との間を選択的に動くことができる。
【００４７】
スプールギア４３２がその係合位置にあるときには、大型ギア４５６の回転が、スプールギア４５６を経由してスプール４２６を第１の方向に回転させる。今度は、これが、ライナーＬを、スプール４２６に接続されるときに、回転させるか、または、スプール４２６のバレル４２８のまわりに巻き、開口４２４内に引く。後述されるように、ライナーＬをスプール４２６のまわりに巻くことを使用して、きれいにされている表面または地面から廃棄物Ｗを除去する。図２５および図２８を参照すると、スプール４２６はその係合位置に示され、すなわち、スプールギア４３２は大型ギア４５６に係合する。図示のように、スプール４２６はハウジング４５８内に回転可能に装着され、ハウジングは本体４１２に固定して装着される。
【００４８】
図２８、図２９をさらに参照すると、モータ４４８の出力をスプール４２６へ選択的に接続するための手段は、スプールギア４３２をギア４５６から係合解除してスプール４２６を第２の対向する方向に手動で回転させるのを可能にする手段を含む。スプールギア４３２を係合解除する手段は、スプール４２６を係合位置から、スプールギア４３２が大型ギア４５６から係合解除される係合解除位置へ動かすための係合解除ノブ４６０を含む。より詳細には、力Ｆがノブ４６０に加えられると、スプール４２６は矢印４６２の方向へ動き、それによって、ばね４６４等の偏倚手段の力に対して係合位置から係合解除位置へ動く。このようにして、力Ｆは、ばね４６４によって形成される抵抗に打ち克つのに十分に大きくなければならない。力Ｆがもはや加えられないときには、ばね４６４はスプール４２６を通常の係合位置へ戻るよう促す。
【００４９】
ライナーＬを廃棄物収集装置４１０内に装填するために、ハンドル４２２および開口フレーム４２０は、これらの構成要素が既にその適切な位置にない場合には、適切な位置へ動く（図１９に示される位置から）。より詳細には、ハンドル４２２は、図２０に示される広げられた位置へ動き、同様に、開口フレーム４２０は、図２０に示される開口位置へ動く。ハンドル４２２および開口フレーム４２０がライナーＬを装填するためにその適切な位置にある場合には、図２１および図２８を参照すると、ライナーＬの玉状端４３８は、スプール４２６のスロット４３０内に挿入される。図２０をさらに参照すると、ライナーＬは、従来の廃棄物バスケットライナーが従来の廃棄物バスケットのへり上に折り返されるのに類似した方法で、本体４１２およびフレーム４２０上に折り返される。
【００５０】
廃棄物Ｗを拾い上げるために、装置４１０は、きれいにされている表面または地面に対してわずかに角度づけられ、拾い上げられるのが望ましい廃棄物に開口４２４が隣接するように、位置決めされる。より詳細には、図２１を参照すると、下部壁４１４の前縁４６６は、廃棄物Ｗと廃棄物を支持する地面または表面との間に部分的に挿入される。縁４６６が廃棄物Ｗの下に部分的に挿入されると、廃棄物Ｗの一部が、縁４６６上に折り返されたライナーＬに載置される。
【００５１】
次に、スイッチ４５０は、押し下げ力をそれに加えることによって作動され、それによって電力が電池Ｂからモータ４４８へ流れることを可能にする。スプールギア４３２がその係合位置にあり、それによって大型ギア４５６に係合する場合には、モータ４４８は、スプール４２６を第１の方向（図２８の矢印４３４によって示される方向）に回転させる。上述のように、スプール４２６が第１の方向に回転することは、ライナーＬをスプール４２６のバレル４２８に巻かせ、開口４２４内に入らせる。同時に、本体４１２は、廃棄物Ｗに沿って前方へ動く。任意に、図２０Ｂをさらに参照すると、吸収性シート４７１は、ライナーＬとともに使用することができる。シート４７１は、シート１７０に関連して検討したものに類似した吸収性特性を有することができ、それは、装置１０に関連して上記に開示されている。シート４７１は、接着剤部分４７１ａをさらに含み、所望の時に、それとともに使用するために、シート４７１をライナーＬの折り返された部分に容易に取り付けることができる。このようにして、シート４７１ａの使用は、必要に応じるものであり、ライナーＬごとに使用される必要はない。
【００５２】
ライナーがスプール４２６のまわりに巻かれるときに、廃棄物Ｗは、ライナーＬ上で装置１０内に引かれ、装置１０は手動で廃棄物へ向けてまたはその中に動かされ、廃棄物を装置１０へ供給し続ける。より具体的には、廃棄物ＷとライナーＬとの間の静止摩擦は、廃棄物と廃棄物が載置している表面との間の静止摩擦よりも大きくこれに打ち克ち、比較的弱い重力抵抗が、ライナーがスプール４２６へ向けて引かれるときに廃棄物が装置４１０内に引かれるように、廃棄物に作用する。廃棄物Ｗをスプール４２６へ向けて引くのに抵抗する重力は、装置４１０が廃棄物より下の表面に対してほんのわずかに角度づけられているため、比較的弱い。
【００５３】
図２３をさらに参照すると、ひとたび廃棄物Ｗが装置４１０内に引かれると、フレーム４２０は、その閉鎖位置または入れ子位置へ動くことができる。この作用は、ライナーＬを、ライナーＬの開口端４４０に隣接した縁４６６上に折り返させ、それによってライナーＬを閉じて封止する。これは、廃棄物を除去することが望まれるまで、ライナーＬに収集されたいずれの廃棄物Ｗを捕捉する。ライナーがフレーム４２０と本体４１２との間に締め付けられる限り、ライナーの中身が流出する恐れなく、いずれの配向に装置を保持することができることに注意されたい。
【００５４】
中に廃棄物Ｗを備えたライナーＬを除去するために、まず、スプール４２６をモータ４４８から係合解除することが必要である。より詳細には、図３２を参照すると、ユーザは力Ｆを加えて、スプール４２６をばね４６４の力に対して動かす。図２７および図２９をさらに参照すると、力Ｆがスプール４２６に加えられ保持され、スプール４２６を係合解除位置に維持する。係合解除位置にある間に、図２４をさらに参照すると、ユーザはまた、ライナーＬの開口端４４０か、または、開口端４４０とフレーム４２０によって締め付けられているライナーの領域との間のライナーＬのいずれの部分かを把持する。ユーザは、少なくともライナーＬが除去されるまで、開口端４４０を閉じて保持する。ライナーＬは、クランプ、ワイヤタイによって、または、公知のジップロック型の配列を経由して、永久に閉鎖することもできる。
【００５５】
次に、フレーム４２０は閉鎖位置から開口位置へ旋回する。次いで、スプール４２６を係合解除位置に保持し自由に回転する場合に、ライナーＬは、本体４１２から矢印４６８の方向に引かれることができ、引かれるときにスプール４２６から解かれ、すなわち、スプール４２６は、矢印４７０によって示された第２の方向に回転する。ボール状端４３８はスプール４２６から除去され、その後、中に廃棄物Ｗを備えたライナーＬを処分することができる。
【００５６】
図３０を参照すると、装置４１０は任意に照明アセンブリ４７６を含むことができる。より具体的には、ハンドル４２２の前方部分は、光ビームを生成する、従来の電池式の電球等の光源４７８を含む照明アセンブリ４７６を含むことができる。光源４７８は、ハンドル４２２が折られた位置にあるときに下部壁１４の開口４８０を通って、且つ、図３１をさらに参照して、ハンドル４２２が広げられた位置にあるときに開口４２４の前の領域をまたは開口４２４に隣接した領域を照明するために装置４１０の前部へ向けて、光ビームが方向づけられるように、配向されることができる。
【００５７】
装置４１０に含まれるときに、光源４７８は、それに電力を提供するために、電池に選択的に電気的に接続することができる。より具体的には、スイッチ４５０は、電池Ｂと光源４７８との間で電気スイッチとして作用することによって、光源４７８を選択的に操作するように構成されることができる。このようにして、スイッチ４５０が押し下げられるときに、電力は電池Ｂから光源４７８へ流れることができ、且つ、電力は電池Ｂからモータ４４８へ流れることができる。あるいは、スイッチ４５０は、２位置スイッチとして構成されることができ、第１の位置へ押し下げることによって、電力が電池Ｂから光源４７８へ流れることができるだけであり、さらに第２の位置へ押し下げると、電力が電池Ｂからモータ４４８へさらに流れることを可能にする。当然ながら、他の構成も可能であり、光源４７８を選択的に作動するためにスイッチ４５０から離れたまったく別個のスイッチ（図示せず）を提供することと、モータ４４８を選択的に作動するためにのみ、またはその逆に、スイッチ４５０を使用することを含む。
【００５８】
すべての構成において、スイッチ４５０は、スイッチ４５０をその拡張位置すなわち非押し下げ位置へ向けて促すためのばね等の偏倚手段を含むことができる。したがって、ユーザがもはやスイッチ４５０を押し下げていないときには、スイッチは拡張位置へ戻り、電池Ｂから光源４７８へおよび／またはモータ４４８への電気接続が遮断される。光源４７８およびモータ４４８へ電力供給するための電源として電池が示され説明されているが、電池Ｂの代わりに、他のいずれの電源を使用してもよいことを認識すべきである。たとえば、装置４１０は、代替的に、従来のＡＣ電力または再充填電池を使用して操作するように構成されることができる。
【００５９】
図３２を参照すると、本発明の別の好適な実施の形態にしたがって廃棄物収集装置５１０が示される。装置５１０は、スプールギア５３２を大型駆動ギア５５６に係合しこれから係合解除するための代替手段を含む。上述のように、装置５１０は、ノブ５６０が押し込まれ保持され、それによって大型ギア５５６との係合からスプールギア５３２を動かすと、スプール５２６が大型ギア５５６に対して軸方向に動くことを可能にする。対照的に、装置５１０は、大型ギア５５６がスプールギア５３２の回転軸に対して線状に動くことを可能にする。さらに、装置５１０は、特に装置５１０が廃棄物内にまたはそれに向けて動くときには、表面Ｓを横切って装置５１０が動くのを容易にするために１つ以上のホイール５３３を任意に含む。例示された装置５１０において、単一のホイールまたはセットのホイールが、開口５１４に対向する装置５１０の端に隣接して設けられる。当然ながら、他のホイール構成も可能であり、すべてのそのようなホイール構成は、本発明の範囲内であるとみなされるべきである。たとえば、ホイールの第２のセットを開口５１４に隣接して設けることができ、リップ部分５３４を修正して、表面Ｓへ下方へ延在することができる。大半の他の態様において、装置５１０は、装置４１０を参照して上述されたように構造され使用される。
【００６０】
大型ギア５５６の直線運動に関して、スイッチ５５０は、ギア５５６の歯がスプールギア５３２の歯に噛み合う係合位置内にギア５５６を動かすために設けられる。このようにして、スプールギア５３２は、十分な力がノブ５５０に加えられるときに、ギア５５６に係合するのみである。より具体的には、装置５１０のハンドル５２２は、ハンドル５２２の長さ方向に沿って摺動可能に動くことができる装着構造物５８０を含む。装着構造物５８０は、電池Ｂ、モータ５４８およびギア５５２、５５４、５５６を保持するように構成される。装着構造物５８０は、ばね５８２等の偏倚手段によって図３３に示される通常の係合解除位置へ向けて促される。係合解除位置において、大型ギア５５６は、スプールギア５３２から間隔をおいて離れて、それから係合解除され、スプール５２６は自由に回転する。このようにして、スプールギア５３２を係合解除するための手段は、可動装着構造物５８０と、可動装着構造物５８０およびそのギア５５６をスプールギア５３２から離すように促すばね５８２と、を含む。
【００６１】
ばね５８２の促進に打ち克つのに十分な力でスイッチ５５０を押し下げると、ギア５５６がスプールギア５３２に接触しこれに係合するまで、すなわち、係合位置まで、装着構造物５８０は矢印５８４の方向に動く。ばね５８６等の別の偏倚手段の促進に打ち克つのに十分な力でスイッチ５５０をさらに押し下げると、モータ５４８は、装置４１０を参照して上述したように、スプール５２６を回転するために選択的に作動される。もはやスイッチ５５０に力が加えられていないときには、これは、ばね５８６のためにその拡張位置へ戻り、装着構造物５８４は、ばね５８２の促進のために、その通常の係合解除位置へ戻る。好ましくは、ばね５８６はばね５８２よりも強く、そのため、ギア５５２および５３２が最初に係合し、そのときのみモータ５４８が作動される。
【００６２】
図３４を参照すると、本発明のさらに別の好適な実施の形態による廃棄物収集装置ハンドルアセンブリまたは装置６１０が示される。装置６１０は、ハンドルセクション６２２を有する略Ｕ字形のハウジング６１２を含む。大半の他の態様において、装置６１０は、装置４１０に類似し、装置４１０のように操作される。たとえば、図３５をさらに参照すると、装置６１０は、ハウジング６１２に回転可能に装着されスプールギア６３２を有するスプール６２６を含む。装置は、モータ６４８および駆動ギア６５６を含む。ノブ６６０は、ばね６６４の抵抗に打ち克つのに十分な力がノブ６６０に加えられたときに、スプール６２６を軸方向に動かしスプールギア６３２を大型ギア６５６から係合解除するために設けられる。ばね６６４は、スプール６２６をその係合位置へ向けて戻すように促す。電池Ｂはハンドルセクション６２２に装着され、スイッチ６５０はハンドルセクション６２２の遠位端に装着される。
【００６３】
装置４１０との１つの差は、ハウジング６１２が、異なるノズルまたはハウジング付属品６８４、６８６が着脱自在にそれに取り付けることができるように形状づけられたメインハウジングであるということである。たとえば、付属品６８４は、ドア６８８を含む大型開口付属品である。ドア６８８の操作は、上述の装置１０のドア６６に類似する。他方の付属品６８６は広い口の付属品である。当然ながら、他の付属品を使用することができ、あらゆる種類の他の公知の付属品が装置６１０とともに使用されるように企図されるとみなされるべきである。装置５１０と同様に、装置６１０は、表面を横切って装置６１０の運動を容易にするためにホイール６３３を任意に含む。また装置５１０と同様に、他のホイール構成も、本発明の範囲内であるとみなされるべきである。ホイールは、装置５１０および６１０のみに示されているが、ホイールは、様々な構成の１つにおいて、所望により、ここに説明されたかまたは検討された実施の形態のいずれに加えることができることが、当業者によって理解されるべきである。
【００６４】
図３５を参照すると、装置６１０は、ライナーＬの拡大端をスプール６２６に取り付けるのを容易にするためにスプール６２６に隣接した開口６９０を含む。開口６９０は、ハウジング６１２が装置６１０の頂部からスプール６２６への容易なアクセスを制限するため、装置６１０で特に有用であると思われる。図２２を参照すると、装置４１０にも、ライナーＬをスプール４２６に取り付けるのを容易にするために開口４９０を設けることができる。
【００６５】
図３６を参照すると、本発明のさらに別の好適な実施の形態にしたがって、着脱自在なスプール７２６とともに使用される廃棄物収集装置７１０が示される。着脱自在なスプール７２６を有する以外に、大半の他の態様において、装置７１０は、装置４１０に類似し、装置４１０との差のみが、ここに説明される。
【００６６】
図３７をさらに参照すると、着脱自在なスプール７２６は、第２のスプールセクション７２６ｂに着脱自在に接続可能な第１のスプールセクション７２６ａを含む。第１のセクション７２６ａは、その遠位端に受取スロット７２８ｂを有する第１のバレル部分７２８ａを含む。第２のセクションは、その遠位端に接続タブ７２８ｄを有する第２のバレル部分７２８ｃを含む。接続タブ７２８ｄは、第１および第２のスプールセクション７２６ａ、７２６ｂを共に接続するために、スロット７２８ｂ内に挿入されるように構成される。共に接続されるときには、バレル部分７２８ａ、７２８ｃは、ライナーＬのロールを支持することができる。２構成要素スプール７２６は、ライナーＬのロール全体がスプール７２６に容易に位置決めされるのを可能にし、スプール７２６を交換せずにライナーの交換ロールを使用することを可能にする。
【００６７】
各スプールセクション７２６ａ、７２６ｃは、バレル７２８ａ、７２８ｃにライナーＬのロールを保持するためのへり７２６ｃを含み、へり７２６ｃの各々は、装置７１０のモータ（図示せず）からの動きをスプール７２６へ移すために、ギア型の窪み７２６ｄ（図３６および３７に１つのみが示される）を含む。装置は、装置４１０を参照して説明されたようにモータによって駆動されるスプールギア７３２を含む。スプールギア７３２の各々は、スプールが装置７１０に装着されるときにスプール７２６を回転するために窪み７２６ｄと協働しこれに受け取られる噛み合いギア７２８ａ（図３６に１つのみが示される）を含む。当然ながら、スプール７２６とスプールギア７３２との間の他の構成が可能であり、たとえば、矩形の窪みおよびスプールギア７３２からの矩形の突起を含み、すべての公知の構成は本発明の範囲内であるとみなされるべきである。
【００６８】
図３８および図３９を参照すると、スプールギア７３２の一方上の噛み合いギア７２８ａは、開口位置と係合位置との間を動くことができる。開口位置において、噛み合いギア７２８ａは、スプールギア７３２内に引っ込み、これは、スプールギア７３２の間にスプール７２６を設置するために十分な空間を提供する。可動噛み合いギア７２８ａは、装置７１０の側部から延在するハンドル７９２へ接続される。このようにして、ハンドル７９２を使用して、可動ギア７２８ａを開口位置と噛み合い位置との間に動かす。
【００６９】
図３９を特に参照すると、ひとたびスプール７２６がスプールギア７３２の間に設置されると、可動噛み合いギア７２８ａは、ハンドル７９２を経由してその係合位置へ動くことができ、両方の噛み合いギア７２８ａは、それぞれのギア窪み７２６ｄに係合して係止される。この位置で、装置４１０を参照して述べたように、モータを使用してスプール７２６を回転することができる。
【００７０】
図４０を参照すると、装置４１０を参照して述べたように、装置７１０を使用して、廃棄物Ｗを除去するかまたは拾い上げることができる。しかし、ひとたび廃棄物が除去され使用されたライナーＬが処分されると、ロール上の次のライナーＬが使用のために準備され、既にそれに接続されているため、スプール７２６へ別個に接続される必要はない。
【００７１】
図４１を参照すると、装置７１０で使用されるために、代替のスプール７２６’が示される。スプール７２６’は着脱自在であるが、単一のライナーＬで単回使用のために適合される。スプール７２６’は、ライナーの玉状端を受けるための袋取付スロット７３０’を含み、且つ、装置７１０のスプールギア７３２と噛み合うためのギア窪み７２６’を含む。より具体的には、スロット７３０’は、小直径部分７３０ｂ’に接続された大直径部分７３０ａ’を含む。大直径部分７３０ａ’は、ライナーＬの玉状端を受けるように適切なサイズにされ、小直径部分７３０ｂ’は、スプール７２６’が第１の方向に回転してライナーＬを装置７１０内に引くときに玉状端に保持するように適切にサイズづけられる。
【００７２】
図４２および図４３を参照すると、本発明の別の好適な実施の形態による廃棄物収集装置８１０が示される。装置８１０は、入れ子式ハンドル８２２を含み、これは、コンパクトは保管のために入れ子式に折り畳まれ（図４２に折り畳まれて示される）、装置８１０を使用して廃棄物を除去するべきときに、入れ子式に拡張するかまたは伸張する（図４３に拡張して示される）。ハンドル８２２はさらに、装置４１０のハンドル４２２のように、旋回式に上にまたは下に折られる。
【００７３】
装置６１０と同様に、装置８１０は、異なるノズルまたはハウジング付属品８８４、８８６とともに使用されるように適合される。このようにして、装置８１０のハウジングは、メインハウジング部分８１２、および、付属品８８４または８８６の一方によって形成される。付属品の一方が接続されると、装置は、装置４１０のものと同様に機能する。しかし、１つの差は、付属品８８４、８８６は、ハウジング部分８１２に着脱自在に接続可能であるということである。装置６１０と同様に、すべての種類の付属品を使用することができ、すべての種類の公知の付属品は、装置８１０とともに使用されるように企図されるとみなされるべきであり、例示された大開口付属品８８４および広い口の開口付属品８８６を含む。
【００７４】
ハウジング付属品８８４、８８６の比較的容易な取付および取り外しを促進するために、フック８８４ｃ、８８６ｃ、およびスナップコネクタ８８４ｂ、８８６ｂが、それぞれ、付属品８８４、８８６に設けられる。ハウジング部分８１２は、付属品８８４、８８６のフックおよびスナップコネクタを受け取り且つそれらに接続するために、ピン８１２ａおよびコネクタ開口８１２ｂを含む。当然ながら、例示されていないが、これらの特徴は、装置６１０に使用することが可能である。
【００７５】
１つ以上の先の実施の形態を参照して検討された他の特徴もまた、装置８１０に任意に含まれることができる。たとえば、光源８７８を有する照明アセンブリおよび／または１つ以上のホイール８３３を装置８１０に加えることができる。さらに、装置８１０は、その使用をさらに容易にするために、さらなる特徴を含むことができる。たとえば、戻り止めを使用して、たとえば、旋回式に折り畳まれるか、旋回式に折り開かれるか、入れ子式に折り畳まれるか、且つ／または、入れ子式に拡張されるために、ハンドルを特定の位置に係止することができる。あるいは、当業者には公知のように、ハンドルの位置を係止するために、摩擦嵌めまたは締まり嵌めを使用することができる。当業者には明らかであるべきであるように、ハンドルの位置を係止するためにここに検討された特徴は、ここに検討された他の実施の形態に使用されることができることを理解しなければならない。
【００７６】
図４４および図４５は、本体９１２およびハンドル９２２を含む別の装置９１０を開示する。この実施の形態において、伝達アセンブリ９２５は、ばね偏倚アクチュエータ９５０によってスプール９２６から選択的に間隔をおかれる。圧縮ばね９６０は、矢印９７０によって示されるように、通常、アクチュエータを下方に引く。しかし、矢印９８０によって示されるように、手動で上方へ押されると、伝達アセンブリはスプール９２６から間隔をおかれることができる。これによって、スプールの袋を引き抜くことができる。数種類の袋がスプールに装着される場合には、たとえば図１７に示されるように、先の袋が取り外されると、次の袋がすぐに利用可能になる。
【００７７】
本発明は、数種類の好適な実施の形態を参照して、説明されてきた。明らかに、先の詳細な説明を読み理解すると、他の人に、修正例および代替例が発生する。本発明は、すべてのそのような修正例および代替例が、その等価物において添付の特許請求の範囲の範囲内に入ると解釈されることが意図される。
【図面の簡単な説明】
【００７８】
【図１】本発明の１つの実施の形態による廃棄物収集装置の正面斜視図であり、ハウジングの開口に隣接して位置するキャリッジのスロット内に挿入されようとしている玉状端を有するライナーを備える。
【図２】図１の廃棄物収集装置の斜視図であり、キャリッジのスロット内にあるライナーの玉状端、および、ハウジングの一部のまわりに折られたライナーの第２の端を示す。
【図３】図１の廃棄物収集装置の断面図であり、キャリッジのスロット内にある玉状端を示す。
【図４】図３の廃棄物収集装置の断面図であり、キャリッジのスロット内にあるライナーの玉状端、および、ハウジングのまわりに折られたライナーの第２の端を示す。
【図５】図４の廃棄物収集装置の断面図であり、開口から間隔をおいて離れた第１の位置へ動いたキャリッジ、および、拾い上げられるように準備された１片の破片に隣接した装置を示す。
【図６】図５の廃棄物収集装置の断面図であり、開口から間隔をおいて離れた第１の位置へ動いたキャリッジを示し、ハウジング内に引かれた廃棄物を備える。
【図７】図６の廃棄物収集装置の断面図であり、開口を覆いライナーを締め付ける閉鎖位置にある装置のドアを示す。
【図８】図７の廃棄物収集装置の断面図であり、装置から取り除かれてライナー内に１片の破片を保持するために共に保持されたライナーの折られた端を示し、それからライナーの玉状端を外すために開口に隣接して戻って動くキャリッジを備える。
【図９】図１の廃棄物収集装置の背面斜視図であり、１つ以上のライナーを保持するための保管コンパートメントを示す。
【図１０】図１の廃棄物収集装置の一部の拡大部分断面図であり、キャリッジ用の駆動機構を示す。
【図１１】図１の廃棄物収集装置の拡大部分断面図であり、係合解除位置にある駆動機構を示す。
【図１２】図１１の廃棄物収集装置の拡大部分断面図であり、係合位置にある駆動機構を示す。
【図１３】図１の廃棄物収集装置の前端立面図である。
【図１４】ここに記載された廃棄物収集装置とともに使用される第２の種類のライナーの斜視図である。
【図１５】図１の廃棄物収集装置に装着された図１４のライナーの斜視図であり、それから少なくとも部分的に液体の廃棄物にわたって延在するシートを備える。
【図１６】廃棄物の一部が装置の開口内に引かれた後に示される図１５の廃棄物収集装置の断面図である。
【図１７】ここに記載された廃棄物収集装置のいずれとともに使用されるように適合可能なライナーのロールの断面図である。
【図１８】本発明の別の実施の形態にしたがって直立ハンドルを有する廃棄物収集装置の斜視図である。
【図１９】本発明のさらに別の実施の形態による折り畳み廃棄物収集装置の正面斜視図であり、折り畳まれた位置にある装置を示す。
【図２０Ａ】装置に装着されたライナーを有し、広げた位置に示される図１９の廃棄物収集装置の斜視図である。
【図２０Ｂ】図２０Ａの廃棄物収集装置の斜視図であり、ライナーに取り付けるための接着剤部分を有する任意のシートを示す。
【図２１】図１９の廃棄物収集装置の断面図であり、スプールに固定されたライナーの閉鎖端を示す。
【図２２】図２１の廃棄物収集装置の断面図であり、いくらかの廃棄物が装置内に引かれた後にスプールに部分的に巻かれたライナーの閉鎖端を示す。
【図２３】図２２の廃棄物収集装置の断面図であり、ライナーの開口端を封止閉鎖または締め付け閉鎖する閉鎖位置にある装置の開口フレームを示す。
【図２４】図２３の廃棄物収集装置の断面図であり、装置から取り除かれてライナー内に含まれた廃棄物を保持するために共に保持されたライナーの開口端を示し、スプールから解かれたライナーの閉鎖端を備える。
【図２５】図１９の廃棄物収集装置の上平面図であり、スプールを回転するために１セットのスプールギアに係合した１セットの駆動ギアを示す。
【図２６】図１９の廃棄物収集装置の上平面図であり、スプールギアを駆動ギアから係合解除しようとしているユーザを示す。
【図２７】図１９の廃棄物収集装置の上平面図であり、駆動ギアから係合解除されたスプールギアを示す。
【図２８】図１９の廃棄物収集装置の一部の拡大部分断面図であり、装置に回転可能に装着され駆動ギアに係合したスプールを示す。
【図２９】図１９の廃棄物収集装置の一部の拡大部分断面図であり、駆動ギアから係合解除されたスプールを示す。
【図３０】本発明の別の実施の形態にしたがって照明を有する折り畳み廃棄物収集装置の断面図である。
【図３１】部分的に広げた位置に示された図３０の廃棄物収集装置の斜視図である。
【図３２】係合位置に示された本発明のさらに別の実施の形態による代替のギアクラッチ配列を有する折り畳み廃棄物収集装置の断面図である。
【図３３】図３２の廃棄物収集装置の断面図であり、係合解除位置にある代替のギアクラッチ配列を示す。
【図３４】本発明のさらに別の実施の形態による様々なハウジング付属品とともに使用されるように適合されＵ字形ハンドルを有する廃棄物収集装置の分解図である。
【図３５】図１８の１つの前端付属品が固定される、図３４の廃棄物収集装置の下側斜視図である。。
【図３６】本発明のさらに別の実施の形態による廃棄物収集装置および着脱自在なスプールの下側斜視図である。
【図３７】図３６の着脱自在なスプールの分解斜視図である。
【図３８】図３６の廃棄物収集装置の断面図であり、第１の開口位置にある装着ギアを示す。
【図３９】図３６の廃棄物収集装置の断面図であり、装置に装着された着脱自在なスプールおよび第２の係止位置にある装着ギアを示す。
【図４０】図３６の廃棄物収集装置の上部斜視図であり、着脱自在なスプールに巻かれた複数のライナーから取り外されている１つのライナーを示す。
【図４１】図３６の廃棄物収集装置および代替の着脱自在なスプールの下側斜視図である。
【図４２】本発明の別の実施の形態による様々なハウジング付属品とともに使用されるように適合され、入れ子式ハンドルを有する廃棄物収集装置の斜視図である。
【図４３】図４２の廃棄物収集装置の斜視図であり、装置１０に接続された１つのハウジング付属品および伸張した拡張位置にある入れ子式ハンドルを示す。
【図４４】本発明のさらに別の実施の形態による廃棄物収集装置の断面図である。
【図４５】図４４の廃棄物収集装置の断面図である。
【符号の説明】
【００７９】
１０、３１０、４１０  廃棄物収集装置
１２、３１２、４２４  ハウジング
４４、４４’、４４”  閉鎖端
４６、４６’、４６”  開口端
３０、８２、２６、９８  引き抜き機構
【図１】
2006523500.tif 000003
【図２】
2006523500.tif 000004
【図３】
2006523500.tif 000005
【図４】
2006523500.tif 000006
【図５】
2006523500.tif 000007
【図６】
2006523500.tif 000008
【図７】
2006523500.tif 000009
【図８】
2006523500.tif 000010
【図９】
2006523500.tif 000011
【図１０】
2006523500.tif 000012
【図１１】
2006523500.tif 000013
【図１２】
2006523500.tif 000014
【図１３】
2006523500.tif 000015
【図１４】
2006523500.tif 000016
【図１５】
2006523500.tif 000017
【図１６】
2006523500.tif 000018
【図１７】
2006523500.tif 000019
【図１８】
2006523500.tif 000020
【図１９】
2006523500.tif 000021
2006523500.tif 000022
2006523500.tif 000023
【図２１】
2006523500.tif 000024
【図２２】
2006523500.tif 000025
【図２３】
2006523500.tif 000026
【図２４】
2006523500.tif 000027
【図２５】
2006523500.tif 000028
【図２６】
2006523500.tif 000029
【図２７】
2006523500.tif 000030
【図２８】
2006523500.tif 000031
【図２９】
2006523500.tif 000032
【図３０】
2006523500.tif 000033
【図３１】
2006523500.tif 000034
【図３２】
2006523500.tif 000035
【図３３】
2006523500.tif 000036
【図３４】
2006523500.tif 000037
【図３５】
2006523500.tif 000038
【図３６】
2006523500.tif 000039
【図３７】
2006523500.tif 000040
【図３８】
2006523500.tif 000041
【図３９】
2006523500.tif 000042
【図４０】
2006523500.tif 000043
【図４１】
2006523500.tif 000044
【図４２】
2006523500.tif 000045
【図４３】
2006523500.tif 000046
【図４４】
2006523500.tif 000047
【図４５】
2006523500.tif 000048
【国際調査報告】
2006523500.tif 000049
2006523500.tif 000050
2006523500.tif 000051